(57)【要約】【課題】発光体を発光させ外側ガイドレールに設けられた透口部を介し遊技部の遊技盤面を照らすことにより、遊技盤面をくっきりと浮き上がらせ通常とは異なった華麗な電飾効果を得られるようにして遊技の興趣を高め、また、遊技部に打ち込まれたパチンコ球もはっきり見えてその狙いどころも定め易い弾球遊技機を提供する。【解決手段】遊技盤５の前面にその遊技部５ａを囲うようにして弧状に配置される外側ガイドレール１５を備えた弾球遊技機Ｐであって、前記外側ガイドレール１５の後側縁部に前記遊技部５ａと連通する透口部４５，５７を設け、前記外側ガイドレール１５の外周に沿って前記透口部４５，５７に対向位置する発光体４１を配設し、前記発光体４１を発光させることにより前記透口部４５，５７を介して前記遊技部５ａの遊技盤５面を照らすようにした構成からなる。【選択図】  図１０
2004201989.tif 000002
【特許請求の範囲】
【請求項１】
遊技盤の前面にその遊技部を囲うようにして弧状に配置される外側ガイドレールを備えた弾球遊技機であって、前記外側ガイドレールの後側縁部に前記遊技部と連通する透口部を設け、前記外側ガイドレールの外周に沿って前記透口部に対向位置する発光体を配設し、前記発光体を発光させることにより前記透口部を介して前記遊技部の遊技盤面を照らすようにしたことを特徴とする弾球遊技機。
【請求項２】
遊技盤が取り付けられると共にその遊技部が臨む窓開口を有し、前記窓開口の内周面に弧状のレール案内溝を成形した前面枠と、始端部及び終端部を所定位置に固定して前記レール案内溝に取り付けることにより前記遊技盤の前面に配置される外側ガイドレールと、を備えた弾球遊技機であって、前記レール案内溝の底壁と外側ガイドレールとの後側縁部に互いに合致して前記遊技部と連通する透口部を設け、前記外側ガイドレールの外周に沿って前記両透口部に対向位置する発光体を配設し、前記発光体を発光させることにより前記両透口部を介して前記遊技部の遊技盤面を照らすようにしたことを特徴とする弾球遊技機。
【発明の詳細な説明】
【０００１】
【発明の属する技術分野】
本発明は、外側ガイドレールの外周に沿って発光体を配設し、この発光体を発光させることにより外側ガイドレールの後側縁部に設けた透口部を介して遊技部の遊技盤面を照らすようにした弾球遊技機に関するものである。
【０００２】
【従来の技術】
通常、弾球遊技機の一種であるパチンコ遊技機は、遊技盤の前面にその遊技部を囲うようにして誘導レールである内側ガイドレールと外側ガイドレールとが略渦巻状に配置されており、遊技部に可変表示装置、入賞口等の各種盤面部品が装着されている。また、前記遊技部の外側には電飾効果を発揮させるために前記誘導レールの外周に沿って複数のレール飾りランプが設けられている（例えば、特許文献１参照。）。
【０００３】
【特許文献１】
特開平５−２３７２２８号公報  （第４頁、図２）
【０００４】
【発明が解決しようとする課題】
しかしながら、前記レール飾りランプは、「大当り」といった特定の遊技状態やその予告を遊技者に視覚的に知らせ、その雰囲気を盛り上げるためのものであり、専らパチンコ遊技機の前方、すなわち遊技者側に向けて照らしているにすぎず、その光の照らし方がマンネリ化して遊技客に飽きられている。また、遊技部の前側はガラス板により覆われていることから、前記光がそのガラス板に反射して遊技盤面が見ずらい場合があり、ともすると遊技部に打ち込まれたパチンコ球の狙いどころが解り難く遊技の興趣が殺がれるといった課題がある。
【０００５】
そこで、本発明は上記課題に鑑みてなされたもので、発光体を発光させ外側ガイドレールに設けられた透口部を介し遊技部の遊技盤面を照らすことにより、遊技盤面をくっきりと浮き上がらせ通常とは異なった華麗な電飾効果を得られるようにして遊技の興趣を高め、また、遊技部に打ち込まれたパチンコ球もはっきり見えてその狙いどころも定め易い弾球遊技機を提供することを目的とするものである。
【０００６】
【課題を解決するための手段】
かかる目的を達成するため、本発明に係る弾球遊技機は、遊技盤の前面にその遊技部を囲うようにして弧状に配置される外側ガイドレールを備えた弾球遊技機であって、前記外側ガイドレールの後側縁部に前記遊技部と連通する透口部を設け、前記外側ガイドレールの外周に沿って前記透口部に対向位置する発光体を配設し、前記発光体を発光させることにより前記透口部を介して前記遊技部の遊技盤面を照らすようにした構成からなる。これにより、遊技盤面をくっきりと浮き上がらせ通常とは異なった華麗な電飾効果を得られ、遊技の興趣が高められる。また、遊技部に打ち込まれたパチンコ球もはっきり見えてその狙いどころも定め易くて遊技がし易い。
【０００７】
例えば、遊技盤が取り付けられると共にその遊技部が臨む窓開口を有し、前記窓開口の内周面に弧状のレール案内溝を成形した前面枠と、始端部及び終端部を所定位置に固定して前記レール案内溝に取り付けることにより前記遊技盤の前面に配置される外側ガイドレールと、を備えた弾球遊技機であって、前記レール案内溝の底壁と外側ガイドレールとの後側縁部に互いに合致して前記遊技部と連通する透口部を設け、前記外側ガイドレールの外周に沿って前記両透口部に対向位置する発光体を配設し、前記発光体を発光させることにより前記両透口部を介して前記遊技部の遊技盤面を照らすようにした構成が採られる。
【０００８】
このように、外側ガイドレールが始端部と終端部の両端部のみを固定して取り付けられる構成にあっては、透口部を外側ガイドレールの後側縁部に沿って自由な位置に設けられる。また、外側ガイドレールは、裏面を支持されることになるので、たとえ透口部を設けても強度的に弱くなることはなく安定している。
【０００９】
【発明の実施の形態】
以下、本発明に係る弾球遊技機の実施の形態を図面に基づき説明する。なお、弾球遊技機には、例えばパチンコ遊技機、アレンジボールまたは雀球遊技機があるが、本発明にあっては、一例としてパチンコ遊技機について説明する。図１は本発明が適用されるパチンコ遊技機の正面図、図２は前面枠の斜視図である。図において、１はパチンコ遊技機Ｐの機枠であって縦長方形枠状に形成されており、その前面に額縁状の前面枠２がその一側上下部を前記機枠１の一側上下部に設けた軸支部３，３によって軸支され、回動自在に装着されている。この前面枠２の上部中央には窓開口４が開設されている。前面枠２の裏面には遊技盤５が配置され、その前面の遊技部５ａが前記窓開口４に臨むようになっている。
【００１０】
前記前面枠２の前面には、遊技盤５前面の遊技部５ａを覆い２枚の透明板であるガラス板６を備えた透明板保持枠７及び遊技盤５の下部を覆う前面板８とが、いずれもその一側上下部を前面枠２の一側上下間に所定の間隔離して設けた複数の軸支部１０に軸支され、回動自在に装着されている。前記前面板８の前面に、貯留される弾球であるパチンコ球を後記する打球発射部Ａに供給するための打球供給皿１１が装着されている。また、前記前面枠２の下部にも下部前板９が回動自在に装着され、この下部前板９の前面には、前記打球供給皿１１から溢れるパチンコ球を貯留する下部球受皿１２が装着されている。１３は、下部前板９の前面一側に設けられ、打ち出されるパチンコ球の打球力の強弱を調節する操作ハンドルである。
【００１１】
前記遊技盤５の前面に遊技部５ａを囲う内側ガイドレール１４が取り付けられ、前記前面枠２の窓開口４の内周面に外側ガイドレール１５が取り付けられる。これら内側・外側ガイドレール１４，１５は、ステンレス製の金属帯板からなり、遊技盤５の前面に渦巻き状に配設されている。内側ガイドレール１４と外側ガイドレール１５との間には、球飛走通路１６が成形されると共にその内側ガイドレール１４の終端位置に前記遊技部５ａと連なる球放出口１７が成形される。
【００１２】
前記遊技部５ａには、そのほぼ中央に表示部１８ａを備えた表示装置１８が装着され、その下方にパチンコ球の入賞により前記表示部１８ａの文字、数字、図形等の表示を変動表示させる始動入賞口１９が配設される。更に、その下方に、前記変動した表示が一定の時間経過後に停止して特定の表示（例えば「７７７」）を示し、遊技者にとって有利な特別遊技状態になったとき、一定の条件の下で開閉扉２０ａを所定回数開成させ一度に多くの入賞球が得られる入賞装置２０が配設されている。前記始動入賞口１９は、パチンコ球が入賞し難い起立またはパチンコ球が入賞し易い傾動位置に自在に変換可能な一対の可動翼片１９ａ，１９ａを有している。
【００１３】
更に、前記表示装置１８の両側やや下方位置に一般入賞口２１が配設され、これら一般入賞口２１の上方位置にはパチンコ球が通過することによりそれを検知し、前記始動入賞口１９の一対の可動翼片１９ａ，１９ａをパチンコ球が受入れ易いように傾動させるための通過チャッカー２２が配設されている。２３は、前記遊技部５ａの適宜位置に回転自在に装着され流下するパチンコ球の流れを変えて面白みを出させるための風車であり、２４は障害釘である。更にまた、遊技部５ａの下部には、遊技部５ａを流下して前記始動入賞口１９、一般入賞口２１などに入賞しなかったパチンコ球をアウト球として遊技盤５の後方へ回収するアウト球口２５が開設されている。
【００１４】
前記前面枠２は、合成樹脂材により縦長方形状に成形され、周縁には枠部２６が設けられると共にその内側に覆板部２７が張設されている。そして、この覆板部２７に前記窓開口４が開設されることとなる。前記覆板部２７の前面下部には、その平坦な取付面Ｅに発射レール２８と該発射レール２８の打球発射部Ａに供給するパチンコ球を発射させるための発射装置２９が取り付けられる。
【００１５】
前記前面枠２の裏面には、窓開口４を囲うようにして方形枠状の取付枠部３０が一体に設けられ、下部の棚部３０ａ上面に遊技盤５を載置して嵌め込まれるようになっている。なお、遊技盤５は取付枠部３０から脱落しないように固定具（図示せず。）により、しっかりと固定されることになる。
【００１６】
前記窓開口４には、図３に示すようにその上部を覆う上部覆い部材３１とその一側を覆う側部覆い部材３２とが交換可能に取り付けられている。上部覆い部材３１と側部覆い部材３２は、共に合成樹脂材により成形され、窓開口４の内周面となる内側下面や内側側面にそれぞれ前記外側ガイドレール１５を取り付けるためのレール案内溝３３が成形されている。また、上部覆い部材３１と側部覆い部材３２は、図４に示すようにこれら裏側の周縁と内側面に後方へ突出するリブ３５が設けられ、周縁部の内面に沿って前記窓開口４の内周縁の所定個所に設けた突片３６の螺子挿通孔３７と対応位置する螺子孔３８を設けたボス３９が配設されている。
【００１７】
前記上部覆い部材３１の裏側であって、上端縁とレール案内溝３３とに亘り上下方向に設けられた一対のリブ３５ａ，３５ａ間に、発光体としてのＬＥＤ４１が複数設けられた配線基板４０が装着される。すなわち、この配線基板４０は、下端縁が前記レール案内溝３３の底壁３３ａ面に略合致するように弧状に成形され、配線基板４０の裏面であって弧状の下縁に沿って両側に複数個（片側６個）のＬＥＤ４１が列設されている。また、配線基板４０の上縁の適宜個所に複数の螺子挿通孔４２が開設され、これらと対応して上部覆い部材３１の裏面に設けられた各ボス３９ａの螺子孔４３に、前記各螺子挿通孔４２を介して螺子４４を螺入することにより、配線基板４０が装着される。前記両側のＬＥＤ４１群に対向して前記レール案内溝３３における後側縁部に、その長手方向に沿って切欠条部４５，４５が設けられている。また、前記配線基板４０の裏側には、該配線基板４０よりも一回り大きく特にＬＥＤ４１を保護するための保護板４６が重なるようにして配置され、その両端部に開設された螺子挿通孔４７を介して上部覆い部材３１側のボス３９ｂの螺子孔４８に螺子４４を螺入することにより保護板４６が取り付けられる。なお、前記発光体は、ＬＥＤ４１以外のもの、例えば電球であっても良い。
【００１８】
このようにして、配線基板４０等が取り付けられた上部覆い部材３１や側部覆い部材３２は、前側から前記窓開口４の所定位置に配置され、各螺子挿通孔３７を介して螺子孔３８に螺子４４を螺入させることにより、図５に示すように上部覆い部材３１と側部覆い部材３２とがそれぞれ窓開口４の前面上部と前面一側部に装着される。
【００１９】
前記各レール案内溝３３は、図６に示すように上部・側部覆い部材３１，３２における前端縁の弧状縁部３１ａ，３２ａの裏面に、該弧状縁部３１ａ，３２ａに沿って成形される。このレール案内溝３３には、その前側縁部の長手方向に沿って、外側ガイドレール１５のレール幅の約３分の１の幅を有しかつレール案内溝３３の底壁３３ａ面よりも突出する弧状の支持段部３４が成形されている。また、前記上部覆い部材３１と側部覆い部材３２とは連続せず分離して設けられており、上部覆い部材３１の一側下端と側部覆い部材３２の上端との間に所定幅の曲率調整空間Ｍが成形される。これにより、前記レール案内溝３３及び支持段部３４も長手方向における略中間位置で切除されることとなる。また、レール案内溝３３の始端側と終端側には、図８、図９に示すようにそれぞれ覆板部２７と一体に成形される支持板部４９、上部覆い部材３１と一体に成形される支持板部５０が設けられ、各支持板部４９，５０の裏面に位置して螺子孔５１を有する突起５２が突設されている。
【００２０】
前記外側ガイドレール１５は、図４に示すように始端部が外側へＵ字状に屈曲すると共にその先端に螺子用孔５３を有する取付片５４が起立して一体に設けられ、終端部には外側ガイドレール１５の長手方向と平行に伸びる長孔５５を有する取付片５６が同じく起立して一体に設けられている。また、前記レール案内溝３３における各切欠条部４５に対応させて同じ側である後側縁部に透口部としての切欠条部５７が設けられている。
【００２１】
そして、前記外側ガイドレール１５を前記レール案内溝３３に沿わせ、図８に示すように始端部側の取付片５４の螺子用孔５３を支持板部４９に設けられた突起５２の螺子孔５１に合致させ、螺子用孔５３を介して螺子孔５１に螺子５８を螺子締めする。次に、外側ガイドレール１５裏面の前側縁側を前記支持段部３４に当接し、図９に示すようにそのまま終端部側の取付片５６の長孔５５を支持板部５０に設けられた突起５２の螺子孔５１に合致させ、長孔５５を介して螺子孔５１に螺子５８を螺子締めする。図７に示すように始端側にあっては、更に前記支持板部４９の前面に固定部材５９が螺着される。この固定部材５９は、基板部５９ａの上縁部の裏側に前記支持板部４９の上面４９ａと平行になる押え面部５９ｂが設けられており、基板部５９ａに開設された螺子挿通孔６０を介して支持板部４９に設けられた螺子孔６１に螺子６２を螺子締することにより、支持板部４９の上面４９ａに載る外側ガイドレール１５の前側縁側をその上面４９ａと押え面部５９ｂとでしっかりと固定できることになる。
【００２２】
これにより、レール案内溝３３の底壁３３ａより僅かに突出する弧状縁部３１ａ，３２ａと遊技盤５の前面との間に挟まれて外側ガイドレール１５が取り付けられる。その表面は、所定の弾道軌跡を形成するような弧面をなす。また、外側ガイドレール１５は、一旦発射されるも飛走力が弱い等の理由により戻ってくるパチンコ球を下部球受皿１２に導くための戻り球排出口６３を介して前記発射レール２８の先端部と連なることとなる。
【００２３】
このように、前記外側ガイドレール１５は、始端部と終端部の２点のみで固定できるので、簡単に取り付けできる。また、図６に示すように外側ガイドレール１５は、底壁３３ａの裏面で支持され、しかも、その前縁側のみが前記支持段部３４に当接して支持されることとなる。一方、支持されない部分は、その裏面に前記始端部と終端部との間の全体に亘りレール幅方向の少なくとも中央部に沿って空間Ｓが形成される。これにより、外側ガイドレール１５に、所要の弾力性が付与されることとなり、飛走するパチンコ球は、特に発射レール２８から飛び出して外側ガイドレール１５の表面に着地するときもその衝撃が吸収され、飛走中にパチンコ球が無用に跳ね返ることがなくなり、球飛び状態が極めて良好となる。
【００２４】
また、前記外側ガイドレール１５は、その終端部の取付片５６に長孔５５を設け、その取付位置を自在に調節できるようにしているが、これは、外側ガイドレール１５を成形する上において当然寸法誤差が生ずることになるが、仮に、レール案内溝３３に対し外側ガイドレール１５の長さ寸法が短いと支持段部３４に外側ガイドレール１５の裏面が当接しなくなって取付が不可能となることから、誤差が生じていても取付に支障が生じないようにするためである。
【００２５】
更に、前記上部覆い部材３１と側部覆い部材３２との間に曲率調整空間Ｍを形成しているが、通常、上部覆い部材３１と側部覆い部材３２との内周面、すなわちレール案内溝３３、の曲率半径は異なっている。よって、製作された段階で一定の曲率半径に設定された外側ガイドレール１５をレール案内溝３３に取り付けたとき、外側ガイドレール１５の上部側と下部側とで曲率半径が異なることから、歪みが生じてその表面がうねり、結果、球飛び状態が安定しなくなる。そこで、前記歪みを自由に湾曲できる曲率調整空間Ｍ内で逃すことによって、外側ガイドレール１５の表面を滑らかな面とし、安定した球飛び状態を確保しようとするものである。
【００２６】
本発明に係るパチンコ遊技機Ｐは上記構成からなり、「大当り」といった特定の遊技状態やその予告を遊技者に視覚的に知らせるため、配線基板４０の各ＬＥＤ４１が点灯または点滅すると、その光が前記両切欠条部４５，５７を介して遊技部５ａの遊技盤５面を照らすことになる。これにより、遊技盤５面がくっきりと浮き上がり通常とは異なった華麗な電飾効果が得られる。また、遊技部５ａに打ち込まれたパチンコ球もはっきり見えてその狙いどころも定め易くて遊技がし易い。
【００２７】
また、外側ガイドレール１５が始端部と終端部の両端部のみを固定して取り付けられることから、切欠条部４５，５７をレール案内溝３３、外側ガイドレール１５の後側縁部に沿って自由な位置に設けられる。また、外側ガイドレール１５は、裏面を支持されることになるので、たとえ切欠条部４５，５７を設けても強度的に弱くなることはなく安定する。
【００２８】
本発明にあっては、前記したように遊技盤５が取り付けられると共にその遊技部５ａが臨む窓開口４を有し、前記窓開口４の内周面に弧状のレール案内溝３３を成形した前面枠２と、始端部及び終端部を所定位置に固定して前記レール案内溝３３に取り付けられ前記遊技盤５の前面に配置される外側ガイドレール１５と、を備えた弾球遊技機について説明したが、この種のパチンコ遊技機に限られるものではない。すなわち、内・外ガイドレールが共に遊技盤に取り付けられるパチンコ遊技機についても、前記外側ガイドレールの外周に沿って発光体を配設するようにして適用できる。また、例えば前記配線基板４０が取り付けられる上部覆い部材３１を合成樹脂製であって、しかも透光性の部材により成形し、また、発光体であるＬＥＤ４１を配線基板４０の前面に設け、遊技盤５面と共に前方を照らすようにしても良い。更に、透口部として切欠条部４５，５７に限ることはなく、長方形状の開口または楕円形状の開口であっても良い。
【００２９】
【発明の効果】
以上説明したように本発明の弾球遊技機は、外側ガイドレールの後側縁部に遊技部と連通する透口部を設け、外側ガイドレールの外周に沿って透口部に対向する発光体を配設し、この発光体を発光させることにより透口部を介して遊技部の遊技盤面を照らすようしたので、遊技盤面をくっきりと浮き上がらせることができ通常とは異なった華麗な電飾効果が得られ、これにより遊技の興趣が高められる。また、遊技部に打ち込まれたパチンコ球もはっきり見えてその狙いどころも定め易くて遊技がし易いという効果が有る。
【００３０】
また、遊技盤が取り付けられると共にその遊技部が臨む窓開口を有し、前記窓開口の内周面に弧状のレール案内溝を成形した前面枠と、始端部及び終端部を所定位置に固定して前記レール案内溝に取り付けることにより前記遊技盤の前面に配置される外側ガイドレールと、を備えた弾球遊技機にあっては、透口部を外側ガイドレールの後側縁部に沿って自由な位置に設けられる。また、外側ガイドレールは、裏面を支持されることになるので、たとえ透口部を設けても強度的に弱くなることはなく安定するという効果が有る。
【図面の簡単な説明】
【図１】本発明が適用されるパチンコ遊技機の正面図。
【図２】前面枠の斜視図。
【図３】同要部を分解して示す前面枠の斜視図。
【図４】外側ガイドレールと分解した上部覆い部材とを示す斜視図。
【図５】前面枠の正面図。
【図６】図５のＶ−Ｖ線断面図。
【図７】図５のＷ−Ｗ線断面図。
【図８】図５のＸ−Ｘ線断面図。
【図９】図５のＹ−Ｙ線断面図。
【図１０】図５のＺ−Ｚ線断面図。
【符号の説明】
２                    前面枠
４                    窓開口
５                    遊技盤
５ａ                  遊技部
１５                  外側ガイドレール
３３                  レール案内溝
４１                  発光体（ＬＥＤ）
４５                  透口部（切欠条部）
５７                  透口部（切欠条部）
Ｐ                    パチンコ遊技機
【図１】
2004201989.tif 000003
【図２】
2004201989.tif 000004
【図３】
2004201989.tif 000005
【図４】
2004201989.tif 000006
【図５】
2004201989.tif 000007
【図６】
2004201989.tif 000008
【図７】
2004201989.tif 000009
【図８】
2004201989.tif 000010
【図９】
2004201989.tif 000011
【図１０】
2004201989.tif 000012